(57)【要約】【課題】空気調和装置の移設をより正確に検出することができる空気調和装置の移設判断方法及び移設判断装置を提供する。【解決手段】移設判断装置６は、ネットワークを介して接続されるとともに冷媒回路を有する空気調和装置のネットワーク接続状況を検知する情報収集部６２と、ネットワークを介して空気調和装置の稼動履歴又は稼働環境を示す稼動情報を受信する通信部６３と、ネットワーク接続状況及び稼動情報に基づいて空気調和装置が移設されたか否かを判断する移設判断部６５とを備える。【選択図】図３
2017190942.tif 000002
【特許請求の範囲】
【請求項１】
ネットワークを介して接続されるとともに冷媒回路を有する空気調和装置のネットワーク接続状況を検知し、
前記ネットワークを介して前記空気調和装置の稼動履歴又は稼働環境を示す稼動情報を受信し、
前記ネットワーク接続状況及び前記稼動情報に基づいて前記空気調和装置が移設されたか否かを判断する、
空気調和装置の移設判断方法。
【請求項２】
前記空気調和装置が移設されたと判断された場合、前記空気調和装置の試運転を促す試運転情報を通知する、
請求項１記載の移設判断方法。
【請求項３】
前記試運転情報の通知において、前記ネットワークを介して情報通信装置へ前記試運転情報を送信する、
請求項２記載の移設判断方法。
【請求項４】
前記空気調和装置が移設されたと判断された場合、前記空気調和装置に対して試運転を行うよう指示するコマンドを送信する、
請求項１記載の移設判断方法。
【請求項５】
前記空気調和装置が移設されたか否かの判断において、前記稼動履歴に基づいて、前記冷媒回路における冷媒を回収するための冷媒回収運転が行われたか否かを判断する、
請求項１〜４のいずれか１項に記載の移設判断方法。
【請求項６】
前記冷媒回収運転が行われたと判断し、かつ前記空気調和装置が前記ネットワークに接続していないことが検知された場合、前記空気調和装置が移設されたと判断する、
請求項５記載の移設判断方法。
【請求項７】
前記稼動履歴に基づいて、前記空気調和装置が前記ネットワークに接続していないことが検知された第１時点から、前記第１時点の後であって前記空気調和装置が前記ネットワークに接続していることが検知された第２時点までの期間を第１期間と規定し、前年以前における前記第１期間と同じ期間である第２期間において、前記冷媒回収運転が行なわれたか否かを判断する、
請求項５記載の移設判断方法。
【請求項８】
前記稼動履歴に基づいて、前記空気調和装置が冷房運転されたと判断された第３時点の前年以前における同じ時点において、前記空気調和装置が冷房運転されていなかった場合、前記第３時点において前記冷媒回収運転が行われたと判断する、
請求項５〜７のいずれか１項に記載の移設判断方法。
【請求項９】
前記稼動履歴に基づいて、前記空気調和装置が冷房運転されたと判断された第３時点における前記空気調和装置の連続稼働時間が所定の時間範囲内である場合、前記第３時点において前記冷媒回収運転が行われたと判断する、
請求項５〜８のいずれか１項に記載の移設判断方法。
【請求項１０】
前記稼動環境の変化に基づいて、前記空気調和装置が移設されたか否かを判断する、
請求項１〜４のいずれか１項に記載の移設判断方法。
【請求項１１】
前記稼働環境は、前記空気調和装置が設置された空間における環境である、
請求項１０記載の移設判断方法。
【請求項１２】
前記稼動環境は、前記空気調和装置が設置された空間の温度を含む、
請求項１１に記載の移設判断方法。
【請求項１３】
前記空気調和装置は、室内機及び室外機を備え、
前記稼動環境は、前記室内機が設置された室内の温度を示す第１温度と、前記室外機が設置された室外の温度を示す第２温度との少なくとも一方を含む、
請求項１２に記載の移設判断方法。
【請求項１４】
前記稼動環境に基づいて、前記空気調和装置が前記ネットワークに接続していないことが検知された第１時点の後であって前記空気調和装置が前記ネットワークに接続したことが検知された第２時点からの所定の経過期間内である第３期間において、前記空気調和装置が設置される空間の温度の変化傾向を示す第１温度変化情報を算出し、
前記第３期間の前年以前における同じ期間において、前記空気調和装置が設置される前記空間の温度の変化傾向を示す第２温度変化情報を算出し、
前記第１温度変化情報と前記第２温度変化情報との相関に基づいて前記空気調和装置が移設されたか否かを判断する、
請求項１２又は１３記載の移設判断方法。
【請求項１５】
前記稼動環境は、前記空気調和装置と前記ネットワークとの接続に関する通信環境である、
請求項１０記載の移設判断方法。
【請求項１６】
前記空気調和装置と前記ネットワークとの接続パラメタを示す接続パラメタ情報を取得し、
前記空気調和装置が前記ネットワークに接続していないことが検知された第１時点以前に取得された前記接続パラメタ情報で示される第１接続パラメタと、前記第１時点の後であって前記空気調和装置が前記ネットワークに接続したことが検知された第２時点以降に取得された前記接続パラメタ情報で示される第２接続パラメタとの比較に基づいて前記空気調和装置が移設されたか否かを判断する、
請求項１５記載の移設判断方法。
【請求項１７】
ネットワークを介して接続されるとともに冷媒回路を有する空気調和装置のネットワーク接続状況を検知する接続状況検知部と、
前記ネットワークを介して前記空気調和装置の稼動履歴又は稼働環境を示す稼動情報を受信する受信部と、
前記ネットワーク接続状況及び前記稼動情報に基づいて前記空気調和装置が移設されたか否かを判断する移設判断部と、
を備える空気調和装置の移設判断装置。
【発明の詳細な説明】
【技術分野】
【０００１】
本開示は、空気調和装置の移設判断方法及び移設判断装置に関するものである。
【背景技術】
【０００２】
空気調和装置は長期的に使用されることが想定されており、所有者の転居または利用者の変更などにより、当初の設置場所から移設されることがある。例えば、室外機と室内機とが冷媒配管によって接続された空気調和装置が移設される場合は、冷媒配管内の冷媒が大気に放出されないように、空気調和装置に関する知識を有するエンジニアが冷媒回収作業を行う。その後、エンジニアは室外機と室内機とを設置場所から取り外し、空気調和装置を新たな場所へ設置し直す。
【０００３】
しかし、空気調和装置が正しく移設されなかった場合、空気調和装置に問題が発生するおそれがある。例えば、冷媒が漏れて冷媒が不足することにより冷暖房の性能が低下することがある。また、冷媒回収作業において閉じられた冷媒配管の閉鎖弁が閉じられた状態で空気調和装置が起動させられると、冷媒配管内の圧力が異常な高圧状態になる。それにより、室外機が備える圧縮機の起動失敗および起動失敗に応じた圧縮機の再起動が何度も発生し、空気調和装置の部品が損傷するおそれがある。
【０００４】
そこで、空気調和装置が正しく移設されない場合に発生する問題を解決する技術が開発されている。例えば、従来、空気調和装置を移設したときの閉鎖弁の開け忘れを検知して、リトライ動作による装置部品の損傷を防止する空気調和装置がある（例えば、特許文献１参照）。
【先行技術文献】
【特許文献】
【０００５】
【特許文献１】特許第４０１３４７１号公報
【発明の概要】
【発明が解決しようとする課題】
【０００６】
しかしながら、空気調和装置の移設に関わる問題を解決するための上記従来技術では、空気調和装置の移設を正確に検出することが困難であった。
【課題を解決するための手段】
【０００７】
本開示の一態様に係る空気調和装置の移設判断方法は、ネットワークを介して接続されるとともに冷媒回路を有する空気調和装置のネットワーク接続状況を検知し、前記ネットワークを介して前記空気調和装置の稼動履歴又は稼働環境を示す稼動情報を受信し、前記ネットワーク接続状況及び前記稼動情報に基づいて前記空気調和装置が移設されたか否かを判断する。
【発明の効果】
【０００８】
本開示によれば、空気調和装置の移設をより正確に検出することができる。
【図面の簡単な説明】
【０００９】
【図１】本開示の実施の形態１における情報通知システムの全体構成の一例を示す図である。
【図２】本開示の実施の形態１における空気調和装置の内部構成の一例を示す図である。
【図３】本開示の実施の形態１における移設判断装置の内部構成の一例を示す図である。
【図４】本開示の実施の形態１における移設判断装置による移設判断処理の一例を示すフローチャートである。
【図５】本開示の実施の形態１において、記憶部に記憶された稼働履歴の一例を示す図である。
【図６】図４のステップＳ１０４における移設判断装置の冷媒回収運転判断処理の一例を示すフローチャートである。
【図７】図４のステップＳ１０７における試運転通知処理の一例を示すフローチャートである。
【図８】本開示の実施の形態１において、端末に表示される試運転通知画面の一例を示す図である。
【図９】本開示の実施の形態２における移設判断装置による移設判断処理の一例を示すフローチャートである。
【図１０】本開示の実施の形態２において、記憶部に記憶された稼働履歴の一例を示す図である。
【図１１】図９のステップＳ２０６における移設判断装置の冷媒回収運転判断処理の一例を示すフローチャートである。
【図１２】本開示の実施の形態３における移設判断装置による移設判断処理の一例を示すフローチャートである。
【図１３】本開示の実施の形態３において、記憶部に記憶されている、ネットワーク接続が復帰した後に収集された１日分のセンサー値の一例を示す図である。
【図１４】本開示の実施の形態３において、記憶部に記憶されている、ネットワーク接続が復帰してからセンサー値を収集した所定の期間の前年以前における同じ期間において、収集されたセンサー値の一例を示す図である。
【図１５】図１２のステップＳ３０３における移設判断装置の相関有無判断処理の一例を示すフローチャートである。
【図１６】本開示の実施の形態３において算出される、室内気温及び室外気温の第１の相関係数と、室内気温及び室外気温の第２の相関係数との一例を示す図である。
【図１７】本開示の実施の形態４における移設判断装置による移設判断処理の一例を示すフローチャートである。
【図１８】図１７のステップＳ４０２における移設判断装置のネットワーク離脱判断処理の一例を示すフローチャートである。
【図１９】本開示の実施の形態４において、記憶部に記憶されている空気調和装置のアダプタの接続パラメタ情報の一例を示す図である。
【発明を実施するための形態】
【００１０】
（本開示の基礎となった知見）
空気調和装置を移設する際、空気調和装置の室内機と室外機とを繋ぐ冷媒配管内の冷媒を循環させずに室外機側へ回収するために、エンジニアは冷媒回収運転（いわゆるポンプダウン）を行う。例えば、エンジニアは、冷媒を室外機から室内機へ循環させる弁を閉じて冷媒回収運転を行い、冷媒を室内機から室外機へ循環させる弁を閉じる。冷媒回収運転とは、空気調和装置の運転状態を冷房にして短時間運転させることである。冷媒回収運転の時間は、典型的には２〜３分程度であり、エンジニアの作業手順又は作業時間によっては多少長くなる場合もある。その後、エンジニアは、空気調和装置の電源を切断してから、空気調和装置の冷媒配管、室内機及び室外機を設置場所から取り外す。
【００１１】
特許文献１には、空気調和装置を移設するときに、冷媒を回収する回収運転が行われることに着目し、冷媒を回収する回収運転が終了すると、次回の空調運転時に圧縮機の再起動を禁止する技術が開示されている。当該技術では、冷媒回収作業後の運転時に、冷媒配管内の高圧冷媒圧力が所定圧力を超えた場合には、圧縮機が停止させられる。これにより、室外機が備える圧縮機の装置部品の損傷を防ぐことができる。
【００１２】
しかしながら、特許文献１で開示される技術では、空気調和装置が移設されていないのにもかかわらず、移設されたことが誤検出され、空気調和装置が正常に稼動しなくなるおそれがある。例えば、空気調和装置の使用環境又は設置状況によっては、冷媒配管内の冷媒が日々微小に漏れ、空気調和装置が保有している冷媒量が減少する場合がある。この場合、冷媒配管内で循環する冷媒が少なくなることにより冷媒回収作業が行われた時と同じ圧力に冷媒圧力が低下し、冷媒回収作業が行われたと誤検出される可能性がある。特許文献１では、冷媒回収作業が行われたと誤検出されると、圧縮機の再起動が抑制されるため、圧縮機の起動が失敗する。圧縮機の起動が失敗すると、空気調和装置が停止し、稼働できなくなる。
【００１３】
以上の課題を解決するために、本開示の一態様に係る空気調和装置の移設判断方法は、ネットワークを介して接続されるとともに冷媒回路を有する空気調和装置のネットワーク接続状況を検知し、前記ネットワークを介して前記空気調和装置の稼動履歴又は稼働環境を示す稼動情報を受信し、前記ネットワーク接続状況及び前記稼動情報に基づいて前記空気調和装置が移設されたか否かを判断する。
【００１４】
この構成によれば、ネットワークを介して接続されるとともに冷媒回路を有する空気調和装置のネットワーク接続状況が検知される。ネットワークを介して空気調和装置の稼動履歴又は稼働環境を示す稼動情報が受信される。ネットワーク接続状況及び稼動情報に基づいて空気調和装置が移設されたか否かが判断される。
【００１５】
したがって、空気調和装置のネットワーク接続状況及び空気調和装置の稼動履歴又は稼働環境を示す稼動情報に基づいて空気調和装置が移設されたか否かが判断されるので、空気調和装置の移設をより正確に検出することができる。特に、空気調和装置が保有している冷媒量が少ない場合に冷媒配管内の冷媒圧力を検知する必要が無くなり、空気調和装置の移設の誤検出を防止することができる。
【００１６】
また、上記の移設判断方法において、前記空気調和装置が移設されたと判断された場合、前記空気調和装置の試運転を促す試運転情報を通知してもよい。
【００１７】
この構成によれば、空気調和装置が移設されたと判断された場合、空気調和装置の試運転を促す試運転情報が通知されるので、空気調和装置の移設後に、空気調和装置の試運転をユーザに確実に実施させることができる。
【００１８】
また、上記の移設判断方法において、前記試運転情報の通知において、前記ネットワークを介して情報通信装置へ前記試運転情報を送信してもよい。
【００１９】
この構成によれば、試運転情報の通知において、ネットワークを介して情報通信装置へ試運転情報が送信されるので、情報通信装置によって、空気調和装置の試運転を促す試運転情報を通知することができる。
【００２０】
また、上記の移設判断方法において、前記空気調和装置が移設されたと判断された場合、前記空気調和装置に対して試運転を行うよう指示するコマンドを送信してもよい。
【００２１】
この構成によれば、空気調和装置が移設されたと判断された場合、空気調和装置に対して試運転を行うよう指示するコマンドが送信されるので、空気調和装置の移設後に、空気調和装置の試運転を確実に実施することができる。
【００２２】
また、上記の移設判断方法において、前記空気調和装置が移設されたか否かの判断において、前記稼動履歴に基づいて、前記冷媒回路における冷媒を回収するための冷媒回収運転が行われたか否かを判断してもよい。
【００２３】
この構成によれば、空気調和装置が移設されたか否かの判断において、稼動履歴に基づいて、冷媒回路における冷媒を回収するための冷媒回収運転が行われたか否かが判断されるので、冷媒回収運転が行われた場合に、空気調和装置が移設されたと判断することができる。
【００２４】
また、上記の移設判断方法において、前記冷媒回収運転が行われたと判断し、かつ前記空気調和装置が前記ネットワークに接続していないことが検知された場合、前記空気調和装置が移設されたと判断してもよい。
【００２５】
この構成によれば、冷媒回収運転が行われたと判断され、かつ空気調和装置がネットワークに接続していないことが検知された場合、空気調和装置が移設されたと判断される。したがって、冷媒回収運転が行われたか否かだけでなく、ネットワークに接続しているかいなかを検知することにより、空気調和装置の移設の誤検出を防止することができる。例えば、エンジニアが冷媒回収運転に相当する運転を行った後、空気調和装置を設置場所から取り外したことでネットワークへの接続が切断された場合に、空気調和装置を移設するための作業が行われたことを検出することができる。
【００２６】
また、上記の移設判断方法において、前記稼動履歴に基づいて、前記空気調和装置が前記ネットワークに接続していないことが検知された第１時点から、前記第１時点の後であって前記空気調和装置が前記ネットワークに接続していることが検知された第２時点までの期間を第１期間と規定し、前年以前における前記第１期間と同じ期間である第２期間において、前記冷媒回収運転が行なわれたか否かを判断してもよい。
【００２７】
この構成によれば、稼動履歴に基づいて、空気調和装置がネットワークに接続していないことが検知された第１時点から、第１時点の後であって空気調和装置がネットワークに接続していることが検知された第２時点までの期間が第１期間と規定され、前年以前における第１期間と同じ期間である第２期間において、冷媒回収運転が行なわれたか否かが判断される。
【００２８】
したがって、前年以前における第１期間と同じ期間である第２期間において、冷媒回収運転が行なわれたか否かが判断されるので、より確実に冷媒回収運転が行なわれたか否かを判断することができる。
【００２９】
また、上記の移設判断方法において、前記稼動履歴に基づいて、前記空気調和装置が冷房運転されたと判断された第３時点の前年以前における同じ時点において、前記空気調和装置が冷房運転されていなかった場合、前記第３時点において前記冷媒回収運転が行われたと判断してもよい。
【００３０】
この構成によれば、稼動履歴に基づいて、空気調和装置が冷房運転されたと判断された第３時点の前年以前における同じ時点において、空気調和装置が冷房運転されていなかった場合、第３時点において冷媒回収運転が行われたと判断される。
【００３１】
したがって、冷媒回収運転の動作は通常の冷房運転の動作と同じであるため、空気調和装置が冷房運転されたと判断された第３時点の前年以前の同じ時点において冷房運転されていない場合、第３時点の冷房運転は冷媒回収運転であると判断することができる。
【００３２】
また、上記の移設判断方法において、前記稼動履歴に基づいて、前記空気調和装置が冷房運転されたと判断された第３時点における前記空気調和装置の連続稼働時間が所定の時間範囲内である場合、前記第３時点において前記冷媒回収運転が行われたと判断してもよい。
【００３３】
この構成によれば、稼動履歴に基づいて、空気調和装置が冷房運転されたと判断された第３時点における空気調和装置の連続稼働時間が所定の時間範囲内である場合、第３時点において冷媒回収運転が行われたと判断される。
【００３４】
したがって、空気調和装置が冷房運転された際の連続稼働時間が、冷媒回収運転される際の連続稼動時間と同じ所定の時間範囲内である場合に、当該冷房運転が冷媒回収運転であると判断することができる。
【００３５】
また、上記の移設判断方法において、前記稼動環境の変化に基づいて、前記空気調和装置が移設されたか否かを判断してもよい。
【００３６】
この構成によれば、稼動環境の変化に基づいて、空気調和装置が移設されたか否かを判断することができる。
【００３７】
また、上記の移設判断方法において、前記稼働環境は、前記空気調和装置が設置された空間における環境であってもよい。
【００３８】
この構成によれば、空気調和装置が設置された空間における環境の変化に基づいて、空気調和装置が移設されたか否かを判断することができる。
【００３９】
また、上記の移設判断方法において、前記稼動環境は、前記空気調和装置が設置された空間の温度を含んでもよい。
【００４０】
この構成によれば、空気調和装置が設置された空間の温度の変化に基づいて、空気調和装置が移設されたか否かを判断することができる。
【００４１】
また、上記の移設判断方法において、前記空気調和装置は、室内機及び室外機を備え、前記稼動環境は、前記室内機が設置された室内の温度を示す第１温度と、前記室外機が設置された室外の温度を示す第２温度との少なくとも一方を含んでもよい。
【００４２】
この構成によれば、空気調和装置は、室内機及び室外機を備える。稼動環境は、室内機が設置された室内の温度を示す第１温度と、室外機が設置された室外の温度を示す第２温度との少なくとも一方を含む。したがって、室内機が設置された室内の温度を示す第１温度と、室外機が設置された室外の温度を示す第２温度との少なくとも一方の変化に基づいて、空気調和装置が移設されたか否かを判断することができる。
【００４３】
また、上記の移設判断方法において、前記稼動環境に基づいて、前記空気調和装置が前記ネットワークに接続していないことが検知された第１時点の後であって前記空気調和装置が前記ネットワークに接続したことが検知された第２時点からの所定の経過期間内である第３期間において、前記空気調和装置が設置される空間の温度の変化傾向を示す第１温度変化情報を算出し、前記第３期間の前年以前における同じ期間において、前記空気調和装置が設置される前記空間の温度の変化傾向を示す第２温度変化情報を算出し、前記第１温度変化情報と前記第２温度変化情報との相関に基づいて前記空気調和装置が移設されたか否かを判断してもよい。
【００４４】
この構成によれば、稼動環境に基づいて、空気調和装置がネットワークに接続していないことが検知された第１時点の後であって空気調和装置がネットワークに接続したことが検知された第２時点からの所定の経過期間内である第３期間において、空気調和装置が設置される空間の温度の変化傾向を示す第１温度変化情報が算出される。第３期間の前年以前における同じ期間において、空気調和装置が設置される空間の温度の変化傾向を示す第２温度変化情報が算出される。第１温度変化情報と第２温度変化情報との相関に基づいて空気調和装置が移設されたか否かが判断される。
【００４５】
したがって、２つの期間における空気調和装置が設置される空間の温度の変化傾向の相関に基づいて空気調和装置が移設されたか否かが判断されるので、１つの期間における空気調和装置が設置される空間の温度の変化傾向に基づいて空気調和装置が移設されたか否かを判断するよりも、空気調和装置が移設したか否かをより精度よく判断することができる。
【００４６】
また、上記の移設判断方法において、前記稼動環境は、前記空気調和装置と前記ネットワークとの接続に関する通信環境であってもよい。
【００４７】
この構成によれば、空気調和装置と前記ネットワークとの接続に関する通信環境の変化に基づいて、空気調和装置が移設されたか否かを判断することができる。
【００４８】
また、上記の移設判断方法において、前記空気調和装置と前記ネットワークとの接続パラメタを示す接続パラメタ情報を取得し、前記空気調和装置が前記ネットワークに接続していないことが検知された第１時点以前に取得された前記接続パラメタ情報で示される第１接続パラメタと、前記第１時点の後であって前記空気調和装置が前記ネットワークに接続したことが検知された第２時点以降に取得された前記接続パラメタ情報で示される第２接続パラメタとの比較に基づいて前記空気調和装置が移設されたか否かを判断してもよい。
【００４９】
この構成によれば、空気調和装置とネットワークとの接続パラメタを示す接続パラメタ情報が取得される。空気調和装置がネットワークに接続していないことが検知された第１時点以前に取得された接続パラメタ情報で示される第１接続パラメタと、第１時点の後であって空気調和装置がネットワークに接続したことが検知された第２時点以降に取得された接続パラメタ情報で示される第２接続パラメタとの比較に基づいて空気調和装置が移設されたか否かが判断される。
【００５０】
したがって、空気調和装置とネットワークとの接続パラメタが変化した場合、空気調和装置が移設されたと判断することができる。
【００５１】
本開示の他の態様に係る空気調和装置の移設判断装置は、ネットワークを介して接続されるとともに冷媒回路を有する空気調和装置のネットワーク接続状況を検知する接続状況検知部と、前記ネットワークを介して前記空気調和装置の稼動履歴又は稼働環境を示す稼動情報を受信する受信部と、前記ネットワーク接続状況及び前記稼動情報に基づいて前記空気調和装置が移設されたか否かを判断する移設判断部と、を備える。
【００５２】
この構成によれば、ネットワークを介して接続されるとともに冷媒回路を有する空気調和装置のネットワーク接続状況が検知される。ネットワークを介して空気調和装置の稼動履歴又は稼働環境を示す稼動情報が受信される。ネットワーク接続状況及び稼動情報に基づいて空気調和装置が移設されたか否かが判断される。
【００５３】
したがって、空気調和装置のネットワーク接続状況及び空気調和装置の稼動履歴又は稼働環境を示す稼動情報に基づいて空気調和装置が移設されたか否かが判断されるので、空気調和装置の移設をより正確に検出することができる。特に、空気調和装置が保有している冷媒量が少ない場合に冷媒配管内の冷媒圧力を検知する必要が無くなり、空気調和装置の移設の誤検出を防止することができる。
【００５４】
なお、以下で説明する実施の形態は、いずれも本開示の一具体例を示すものである。以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また全ての実施の形態において、各々の内容を組み合わせることも出来る。
【００５５】
（実施の形態１）
まず、本実施の形態１における、冷媒回路を有する空気調和装置と、情報通信装置と、空気調和装置及び情報通信装置とネットワークを介して接続される移設判断装置とを備える情報通知システムの構成について説明する。
【００５６】
図１は、本開示の実施の形態１における情報通知システムの全体構成の一例を示す図である。
【００５７】
情報通知システムは、空気調和装置１と、端末５と、移設判断装置６とを備える。移設判断装置６は、ネットワークを介して、遠隔で空気調和装置１の稼働履歴を監視する。稼働履歴とは、例えば、空気調和装置１の電源ＯＮ又は電源ＯＦＦの状態、冷房又は暖房などの運転モードの状態、設定されている温度、及び空気調和装置１に搭載された温度センサーの値などである。移設判断装置６は、空気調和装置１が移設されたか否かを判断する。
【００５８】
空気調和装置１は、リモートコントローラ２によりユーザからの電源ＯＮ、電源ＯＦＦ、運転モードの変更及び設定温度の変更などの要求を受け付ける。空気調和装置１の運転モードとしては、例えば、冷房運転、暖房運転、除湿運転、送風運転及び試運転などがある。空気調和装置１は、リモートコントローラ２と、例えば赤外線通信を行う。リモートコントローラ２は、空気調和装置１の電源のＯＮ又はＯＦＦのユーザによる入力、冷房又は暖房などの運転モードのユーザによる入力、設定温度のユーザによる入力を受け付ける。リモートコントローラ２は、受け付けた入力内容に応じた信号を空気調和装置１へ送信する。また、空気調和装置１は、アダプタ３を介してグローバルネットワーク４に接続されている。
【００５９】
なお、グローバルネットワーク４は、例えばインターネットであり、移設判断装置６は、例えばクラウドコンピューティングシステムにおけるサーバである。また、移設判断装置６は、グローバルネットワーク４を介して空気調和装置１及び端末５と接続されているが、ＬＡＮ（Ｌｏｃａｌ  Ａｒｅａ  Ｎｅｔｗｏｒｋ）を介して空気調和装置１及び端末５と接続されてもよい。この場合、移設判断装置６は、例えばローカルサーバである。
【００６０】
アダプタ３は、例えば有線を介して空気調和装置１と接続され、グローバルネットワーク４と空気調和装置１とを接続する機能を有する。アダプタ３は、空気調和装置１の内部に搭載されてもよいし、無線を介して空気調和装置１と接続されてもよい。また、アダプタ３は、ゲートウェイのように、プロトコルの変換機能及びパケット送受信機能を有しており、モデムのように異種の伝送路媒体同士を接続する機能を有している。アダプタ３は、一つの装置で構成されてもよいし、複数の装置で構成されてもよく、複数の装置間を有線又は無線で接続することで上記の機能を有してもよい。
【００６１】
端末５は、例えば、携帯電話機、スマートフォン、タブレット型コンピュータ又はパーソナルコンピュータなどであり、通信機能及び表示画面を有する。端末５は、情報通信装置の一例である。端末５は、空気調和装置１の電源のＯＮ又はＯＦＦのユーザによる入力、冷房又は暖房などの運転モードのユーザによる入力、設定温度のユーザによる入力を受け付けてもよい。端末５は、グローバルネットワーク４に接続している時、空気調和装置１の電源ＯＮ又は設定温度の変更などの要求を空気調和装置１へ送信できる。空気調和装置１は、アダプタ３及びグローバルネットワーク４を介して端末５からの要求を受け付ける。
【００６２】
移設判断装置６は、例えばサーバである。移設判断装置６は、グローバルネットワーク４を介して、端末５の表示画面に空気調和装置１の稼働履歴の情報、又はユーザからの要求を受け付けるための画面を表示するための情報を送受信することができる。なお、グローバルネットワーク４は、一般公衆回線であるため、図１には示していない他の空気調和装置又はその他の接続機器も接続されており、移設判断装置６は、複数台の空気調和装置を監視したり、複数台の端末と情報を送信及び受信したりすることが可能である。
【００６３】
図２は、本開示の実施の形態１における空気調和装置の内部構成の一例を示す図である。空気調和装置１は、室内に設置する室内機１１と、室外に設置する室外機１２とを備える。室内機１１と室外機１２とは、冷媒配管１３及び通信線１４を介して接続されている。
【００６４】
室内機１１は、操作指示受信部１１１、通信部１１２、運転制御部１１３、温度センサー１１４、ファンモーター１１５、室内機側通信部１１６、メモリ１１７及び室内機側冷媒回路１１８を備える。
【００６５】
操作指示受信部１１１は、リモートコントローラ２からの操作指示要求を赤外線通信等で受信する。
【００６６】
運転制御部１１３は、操作指示受信部１１１によって受信されたリモートコントローラ２からの操作指示要求に応じて、室内機１１と室外機１２との内部装置を駆動させる。運転制御部１１３は、空気調和装置１の運転を制御する。
【００６７】
室内機側冷媒回路１１８は、冷媒配管１３を介して室外機１２から送られてきた冷媒を、冷媒配管１３を介して室外機１２へ送り、室内機１１と室外機１２との間で冷媒を循環させる。ファンモーター１１５は、室外機１２から冷媒配管１３を通って流れる冷媒によって生成された温風又は冷風を室内に送り出す。
【００６８】
温度センサー１１４は、室内機１１が設置されている室内の温度を計測する。メモリ１１７は、リモートコントローラ２からの操作指示要求、空気調和装置１内のセンサー情報、及び空気調和装置１の稼働履歴などの複数の情報を記憶する。通信部１１２は、アダプタ３及びグローバルネットワーク４を介した通信を処理する。室内機側通信部１１６は、通信線１４を介して室外機１２と情報を送受信する。
【００６９】
室外機１２は、室外機側通信部１２１、コンプレッサー１２２、温度センサー１２３及び室外機側冷媒回路１２４を備える。
【００７０】
室外機側冷媒回路１２４は、冷媒配管１３を介して室内機１１から送られてきた冷媒を、冷媒配管１３を介して室内機１１へ送り、室内機１１と室外機１２との間で冷媒を循環させる。
【００７１】
コンプレッサー１２２は、室外機側冷媒回路１２４によって送られる冷媒を圧縮する。温度センサー１２３は、室外機１２が設置されている室外の温度を計測する。室外機側通信部１２１は、通信線１４を介して室内機１１と情報を送受信する。室内機側通信部１１６と室外機側通信部１２１との間で送受信される情報とは、例えば、室内機１１に搭載された温度センサー１１４の値、室外機１２に搭載された温度センサー１２３の値、ユーザからの操作指示要求、又はコンプレッサー１２２を稼働させる際の指示周波数などである。室内機１１は、室外機１２から受信した情報を基に運転制御を行い、室外機１２は、室内機１１から受信した指示周波数に従って搭載されているコンプレッサー１２２を稼働させる。
【００７２】
なお、図２に示す室内機１１及び室外機１２にはそれぞれ室内及び室外の温度を計測する温度センサーのみが搭載されているが、空気調和装置１は、冷媒配管１３の回り又は送風口などの複数の箇所の温度を計測する複数の温度センサーを搭載してもよい。また、空気調和装置１は、温度センサーに限らず、空気調和装置１を制御するために人感センサー又は照度センサーなどの他の種類のセンサーを搭載してもよい。なお、図２の室外機１２には運転制御部が示されていないが、室外機１２も運転制御部を搭載してもよい。
【００７３】
図３は、本開示の実施の形態１における移設判断装置の内部構成の一例を示す図である。移設判断装置６は、タイマー６１、情報収集部６２、通信部６３、記憶部６４、移設判断部６５及び試運転通知部６６を備える。
【００７４】
通信部６３は、移設判断装置６がグローバルネットワーク４に接続するための機能を有しており、グローバルネットワーク４に接続している空気調和装置１と情報を送受信する。なお、記憶部６４は、空気調和装置１と通信するために、グローバルネットワーク４に接続する空気調和装置１又はアダプタ３のＩＰアドレス又は識別情報を記憶している。
【００７５】
情報収集部６２は、ネットワークを介して空気調和装置１の稼動履歴又は稼働環境を示す稼動情報を受信する。情報収集部６２は、タイマー６１が示す時間に従って定期的にグローバルネットワーク４に接続している空気調和装置１に対してセンサー値又は稼働履歴などの稼動情報を要求する。情報収集部６２は、要求に応じて空気調和装置１によって送信された稼動情報を受信し、受信した稼動情報を、受信した時刻と共に記憶部６４に記憶する。
【００７６】
また、情報収集部６２は、ネットワークを介して接続されるとともに冷媒回路を有する空気調和装置１のネットワーク接続状況を検知する。すなわち、情報収集部６２は、要求した稼動情報を空気調和装置１から受信できなかった場合には、空気調和装置１がネットワークに接続されていないと検知する。情報収集部６２は、空気調和装置１がネットワークに接続されていないことを、受信できなかった時刻と共に記憶部６４に記憶する。
【００７７】
移設判断部６５は、ネットワーク接続状況及び稼動情報に基づいて空気調和装置１が移設されたか否かを判断する。移設判断部６５は、記憶部６４に記憶された空気調和装置１の過去から現在までの稼働履歴又はセンサー情報を取り出し、空気調和装置１が移設されたか否かを判断し、判断結果を保持する。
【００７８】
移設判断部６５は、稼動履歴に基づいて、冷媒回路における冷媒を回収するための冷媒回収運転が行われたか否かを判断する。移設判断部６５は、冷媒回収運転が行われたと判断し、かつ空気調和装置１がネットワークに接続していないことが検知された場合、空気調和装置１が移設されたと判断する。
【００７９】
また、移設判断部６５は、稼動履歴に基づいて、空気調和装置１が冷房運転されたと判断された第３時点の前年以前における同じ時点において、空気調和装置１が冷房運転されていなかった場合、第３時点において冷媒回収運転が行われたと判断する。
【００８０】
また、移設判断部６５は、稼動履歴に基づいて、空気調和装置１が冷房運転されたと判断された第３時点における空気調和装置１の連続稼働時間が所定の時間範囲内である場合、第３時点において冷媒回収運転が行われたと判断する。
【００８１】
試運転通知部６６は、空気調和装置１が移設されたと判断された場合、空気調和装置１の試運転を促す試運転情報を通知する。試運転通知部６６は、ネットワークを介して端末５へ試運転情報を送信する。試運転通知部６６は、移設判断部６５によって空気調和装置１が移設されたと判断された場合、通信部６３を用いて端末５へユーザに空気調和装置１の試運転を促す試運転情報を送信する。なお、試運転とは、冷房運転及び暖房運転などの種々の運転モードで空気調和装置１を稼動させ、正常に稼動されるか否かを確認するための運転モードである。
【００８２】
なお、情報収集部６２は、タイマー６１が示す時間に従って定期的に稼動情報を要求して収集する代わりに、空気調和装置１の稼動情報又はネットワーク接続状況が変化した時に、空気調和装置１から移設判断装置６に通知された稼動情報を収集してもよい。
【００８３】
なお、移設判断装置６の全般的又は具体的な態様は、システム、サーバ、方法、集積回路、コンピュータプログラム、又はコンピュータ読み取り可能なＣＤ−ＲＯＭなどの記録媒体で実現されてもよく、システム、サーバ、方法、集積回路、コンピュータプログラム及び記録媒体の任意な組み合わせで実現されてもよい。
【００８４】
続いて、図４を用いて、移設判断装置６の動作について説明する。
【００８５】
図４は、本開示の実施の形態１における移設判断装置による移設判断処理の一例を示すフローチャートである。移設判断装置６は、空気調和装置１が移設されたか否かを検出するために、定期的又は継続的に移設判断処理を行う。
【００８６】
まず、情報収集部６２は、空気調和装置１の稼働履歴を収集し、記憶部６４に記憶する（ステップＳ１０１）。
【００８７】
次に、移設判断部６５は、稼働履歴に基づいて空気調和装置１が運転を停止しているか否かを判断する（ステップＳ１０２）。移設判断部６５は、空気調和装置１に電源が供給されており、かつ空気調和装置１がネットワークに接続されており、かつ空気調和装置１が運転していない場合に、空気調和装置１が運転を停止していると判断する。ここで、空気調和装置１が運転を停止していないと判断された場合（ステップＳ１０２でＮＯ）、移設判断処理を終了する。
【００８８】
一方、空気調和装置１が運転を停止していると判断された場合（ステップＳ１０２でＹＥＳ）、移設判断部６５は、稼働履歴に基づいて、運転を停止する前の運転が冷房運転であるか否かを判断する（ステップＳ１０３）。ここで、停止前の運転が冷房運転ではないと判断された場合（ステップＳ１０３でＮＯ）、移設判断処理を終了する。
【００８９】
一方、停止前の運転が冷房運転であると判断された場合（ステップＳ１０３でＹＥＳ）、移設判断部６５は、停止前に行われた冷房運転が冷媒回収運転であるか否かを判断する冷媒回収運転判断処理を行う（ステップＳ１０４）。なお、ステップＳ１０４の冷媒回収運転判断処理については、後述する。
【００９０】
次に、移設判断部６５は、停止前に行われた冷房運転が冷媒回収運転であるか否かを判断する（ステップＳ１０５）。ここで、停止前に行われた冷房運転が冷媒回収運転ではないと判断された場合（ステップＳ１０５でＮＯ）、移設判断処理を終了する。
【００９１】
一方、停止前に行われた冷房運転が冷媒回収運転であると判断された場合（ステップＳ１０５でＹＥＳ）、移設判断部６５は、空気調和装置１がネットワークに接続しているか否かを判断する（ステップＳ１０６）。空気調和装置１の電源がＯＦＦされた場合、空気調和装置１に電源が供給されなくなり、空気調和装置１はネットワークに接続されなくなる。そのため、空気調和装置１がネットワークに接続しているか否かを判断することにより、空気調和装置１を移設するために電源がＯＦＦされたか否かを判断することができる。
【００９２】
ここで、空気調和装置１がネットワークに接続していると判断された場合（ステップＳ１０６でＹＥＳ）、移設判断処理を終了する。
【００９３】
一方、空気調和装置１がネットワークに接続していないと判断された場合（ステップＳ１０６でＮＯ）、試運転通知部６６は、空気調和装置１の試運転を促す試運転情報を端末５に通知する試運転通知処理を行う（ステップＳ１０７）。なお、ステップＳ１０７の試運転通知処理については、後述する。
【００９４】
次に、図５及び図６を用いて、図４のステップＳ１０４における冷媒回収運転判断処理の詳細を説明する。
【００９５】
図５は、本開示の実施の形態１において、記憶部に記憶された稼働履歴の一例を示す図である。稼働履歴は、稼動履歴を収集した収集日時、空気調和装置１の運転状態、空気調和装置１の運転時間、及び空気調和装置１の設定温度を含む。行Ｒ１０４に記録された稼働履歴は、最近収集した稼働履歴である。行Ｒ１０３に記録された稼働履歴は、前回収集した稼働履歴である。行Ｒ１０１及び行Ｒ１０２は、行Ｒ１０３と過去の同じ時期に収集した稼働履歴である。行Ｒ１０１は、行Ｒ１０３の２年前の同じ時刻に取得した稼動履歴であり、行Ｒ１０２は、行Ｒ１０３の１年前の同じ時刻に取得した稼動履歴である。
【００９６】
なお、図５の例では、情報収集部６２は、１０分毎に空気調和装置１から稼働履歴を収集しているが、収集時間間隔は異なってもよい。なお、行Ｒ１０３及び行Ｒ１０４は、それぞれ個別に収集した稼働履歴であるが、情報収集部６２は、複数の稼働履歴をまとめて収集し、記憶部６４に記憶して用いてもよい。
【００９７】
図６は、図４のステップＳ１０４における移設判断装置の冷媒回収運転判断処理の一例を示すフローチャートである。移設判断装置６は、空気調和装置１の稼働履歴に基づいて、運転停止前に行われた冷房運転が、空気調和装置１を移設するためにエンジニアが行う冷媒回収運転であるか否かを判断する。
【００９８】
まず、移設判断部６５は、記憶部６４に記憶されている稼動履歴に基づいて、空気調和装置１が冷房運転されたと判断された時点の前年以前における同じ時点において、空気調和装置１が冷房運転されたか否かを判断する（ステップＳ１０４１）。ここで、空気調和装置１が冷房運転されたと判断された時点の前年以前における同じ時点において、空気調和装置１が冷房運転されていないと判断された場合（ステップＳ１０４１でＮＯ）、移設判断部６５は、停止前に行われた冷房運転が冷媒回収運転であるという判断結果を記憶部６４に記憶し（ステップＳ１０４３）、冷媒回収運転判断処理を終了する。
【００９９】
一方、空気調和装置１が冷房運転されたと判断された時点の前年以前における同じ時点において、空気調和装置１が冷房運転されたと判断された場合（ステップＳ１０４１でＹＥＳ）、移設判断部６５は、停止前に行われた冷房運転の運転時間が２分以上３０分以内であったか否かを判断する（ステップＳ１４０２）。ここで、停止前に行われた冷房運転の運転時間が２分以上３０分以内ではないと判断された場合（ステップＳ１０４２でＮＯ）、冷媒回収運転判断処理を終了する。
【０１００】
一方、停止前に行われた冷房運転の運転時間が２分以上３０分以内であると判断された場合（ステップＳ１０４２でＹＥＳ）、移設判断部６５は、停止前に行われた冷房運転が冷媒回収運転であるという判断結果を記憶部６４に記憶し（ステップＳ１０４３）、冷媒回収運転判断処理を終了する。
【０１０１】
このように、冷媒回収運転の動作は通常の冷房運転の動作と同じであるため、例えば、秋から春の気温の低い時期において通常は冷房運転が行なわれないことを考慮すると、空気調和装置が冷房運転されたと判断された第３時点の前年以前の同じ時点において冷房運転されていない場合、第３時点の冷房運転は冷媒回収運転であると判断することができる。また、通常の冷媒回収運転は、例えば、２分以上３０分以内の短い時間で完了することが多いため、冷房運転の連続稼働時間が所定の時間の範囲内であるか否かを判断することにより、当該冷房運転が冷媒回収運転であるか否かを判断することができる。
【０１０２】
なお、本実施の形態１における移設判断部６５は、図５に例示した稼働履歴を用いて、空気調和装置１が冷房運転されたと判断された日時の前年における同じ日時において、空気調和装置１が冷房運転されたか否かを判断しているが、空気調和装置１が冷房運転されたと判断された月の前年における同じ月、空気調和装置１が冷房運転されたと判断された週の前年における同じ週、又は空気調和装置１が冷房運転されたと判断された日の前年における同じ日など、空気調和装置１が冷房運転されたと判断された時期又は季節と同じ時期又は同じ季節として扱える期間の稼働履歴を用いてもよい。
【０１０３】
また、ステップＳ１０４２の処理において、移設判断部６５は、停止前に行われた冷房運転の運転時間が２分以上３０分以内であるか否かを判断しているが、短時間であっても冷媒回収は可能であるので、判断する運転時間は２分より短くてもよい。また、運転時間を判断するための時間間隔は、２分以上３０分以内の時間間隔に限定されず、他の時間間隔であってもよい。
【０１０４】
図５に例示した稼働履歴を用いて冷媒回収運転判断処理が行われた場合、空気調和装置１が冷房運転されたと判断された時点は、２０１５年３月４日１２時１０分であり、前年における同じ時点である２０１４年３月４日１２時１０分において、空気調和装置１は、暖房運転されており、冷房運転されていない。この場合、移設判断部６５は、停止前に行われた冷房運転が冷媒回収運転であるという判断結果を記憶部６４に記憶し、冷媒回収運転判断処理を終了する。
【０１０５】
次に、図７及び図８を用いて、図４のステップＳ１０７における試運転通知処理の詳細を説明する。
【０１０６】
図７は、図４のステップＳ１０７における試運転通知処理の一例を示すフローチャートである。移設判断装置６は、空気調和装置１が移設されたことを検出すると、ユーザに試運転の実施を促す試運転情報を通知する。
【０１０７】
まず、移設判断装置６の試運転通知部６６は、空気調和装置１のネットワーク接続状況を定期的又は継続的に確認する（ステップＳ１０７１）。エンジニアが空気調和装置１の移設を行った場合、移設作業中は室内機１１及び室外機１２を設置場所から取り外すために電源をＯＦＦにするので、空気調和装置１はネットワークに接続していない。そのため、空気調和装置１の移設作業が完了し、ユーザ宅内でグローバルネットワーク４が使用できる状態になったときに、空気調和装置１は、ネットワーク接続に復帰する。
【０１０８】
次に、試運転通知部６６は、空気調和装置１がネットワーク接続されているか否かを判断する（ステップＳ１０７２）。ここで、空気調和装置１がネットワーク接続されていないと判断された場合（ステップＳ１０７２でＮＯ）、ステップＳ１０７１の処理に戻る。
【０１０９】
一方、空気調和装置１がネットワーク接続されていると判断された場合（ステップＳ１０７２でＹＥＳ）、試運転通知部６６は、通信部６３を用いて端末５に試運転の実施を促す試運転情報を送信し（ステップＳ１０７３）、試運転通知処理を終了する。
【０１１０】
なお、本実施の形態１において、空気調和装置１がネットワーク接続されていないと判断された場合、ステップＳ１０７１の処理に戻っているが、本開示は特にこれに限定されず、空気調和装置１がネットワーク接続されていないと判断された場合、試運転通知部６６は、空気調和装置１がネットワーク接続されていないと判断されてからの経過時間を計測し、計測した経過時間が所定時間を超えた場合、試運転通知処理を終了してもよい。
【０１１１】
なお、試運転通知部６６が試運転の実施を促す試運転情報を送信する先は、端末５ではなく、空気調和装置１であってもよい。試運転情報を受信した空気調和装置１は、空気調和装置１に設けられたスピーカから報知音を出力させたり、空気調和装置１に設けられたＬＥＤ（Ｌｉｇｈｔ  Ｅｍｉｔｔｉｎｇ  Ｄｉｏｄｅ）を点灯させたり、空気調和装置１に設けられた液晶画面にメッセージを表示させたりするなどしてユーザに報知してもよい。さらに、空気調和装置１とリモートコントローラ２とが双方向に通信できる場合、試運転情報を受信した空気調和装置１が、リモートコントローラ２に試運転の実施を促すメッセージを送信し、リモートコントローラ２が、受信したメッセージを表示することでユーザに報知してもよい。
【０１１２】
図８は、本開示の実施の形態１において、端末に表示される試運転通知画面の一例を示す図である。
【０１１３】
図８に示すように、端末５は、例えば、移設したことによって空気調和装置１の周辺環境が変わり、確認のために試運転するべきであることをユーザに通知する文言を試運転通知画面５１に表示する。また、端末５は、通知を受け取ったユーザが直ちに空気調和装置１の試運転を実施するための試運転ボタン５２と、空気調和装置１の試運転の実施を保留するためのキャンセルボタン５３とを試運転通知画面５１に表示してもよい。ユーザが試運転ボタン５２を選択した場合には、端末５は、空気調和装置１に試運転を実施させるための操作指示要求を送信する。空気調和装置１は、端末５からの操作指示要求を受信した場合、試運転を実施する。
【０１１４】
このように、試運転が必要である旨の情報がユーザに通知されるとともに、試運転を実行させるためのアイコンを含むグラフィカルユーザインタフェースが端末５のタッチパネルに提示されるので、ユーザは空気調和装置１に対して試運転を実行させる方法を調べることなく、提示されたアイコンを操作するだけで空気調和装置１に対して試運転を実行させることができる。
【０１１５】
このように、本実施の形態１によれば、空気調和装置１が保有している冷媒量が少ない場合であっても、冷媒配管１３内の冷媒圧力を検知する必要が無くなり、空気調和装置１の移設の誤検出を防止できる。また、冷房運転が行われたか否かの判断だけでなく、ネットワークに接続しているか否かを判断することにより、例えば、ユーザが誤って冷房運転させて、すぐ停止させた場合に、空気調和装置１の移設の誤検出を防止することができる。
【０１１６】
また、例えば、冷媒回収運転に相当する冷房運転が行われた後、空気調和装置１が設置場所から取り外されたことでネットワークへの接続が切断された場合に、空気調和装置１を移設するための作業が行われたことを検出することができる。
【０１１７】
なお、本実施の形態１において、試運転通知部６６は、空気調和装置１が移設されたと判断された場合、空気調和装置１の試運転を促す試運転情報を端末５に通知しているが、本開示は特にこれに限定されず、通信部６３は、空気調和装置１が移設されたと判断された場合、空気調和装置１に対して試運転を行うよう指示するコマンドを送信してもよい。この場合、空気調和装置１が移設された場合、空気調和装置１は、自動的に試運転を開始するので、試運転を実施するためのユーザの手間を省くことができる。
【０１１８】
また、試運転通知部６６は、空気調和装置１が試運転を実施した結果を端末５に通知してもよい。この場合、通信部６３は、空気調和装置１が試運転を実施した結果、空気調和装置１が正常に稼動するか否かを示す試運転結果情報を空気調和装置１から受信する。
【０１１９】
以上、本実施の形態１における移設判断装置６の動作について説明した。
【０１２０】
（実施の形態２）
次に、実施の形態２を詳細に説明する。上記の実施の形態１では、空気調和装置１がネットワーク接続した状態で冷媒回収運転を行い、空気調和装置１の電源がＯＦＦにされるという順で行われた移設作業が検出され、ユーザに試運転の実施を促す試運転情報が通知される動作について説明した。これに対し、本実施の形態２では、空気調和装置１がネットワークから切断された状態で冷媒回収運転を行い、空気調和装置１の電源がＯＦＦされるという順で行われる移設作業が検出され、ユーザに試運転の実施を促す試運転情報が通知される動作について説明する。
【０１２１】
なお、本実施の形態２における空気調和装置１の構成の概要、移設判断装置６の構成の概要、試運転通知処理、及び端末５の試運転通知画面の一例は、図１、図２、図３、図７及び図８で説明した実施の形態１と同じであり、説明は省略する。
【０１２２】
移設判断部６５は、稼動履歴に基づいて、冷媒回路における冷媒を回収するための冷媒回収運転が行われたか否かを判断する。移設判断部６５は、冷媒回収運転が行われたと判断し、かつ空気調和装置１がネットワークに接続していないことが検知された場合、空気調和装置１が移設されたと判断する。
【０１２３】
また、移設判断部６５は、稼動履歴に基づいて、空気調和装置１がネットワークに接続していないことが検知された第１時点から、第１時点の後であって空気調和装置１がネットワークに接続していることが検知された第２時点までの期間を第１期間と規定し、前年以前における第１期間と同じ期間である第２期間において、冷媒回収運転が行なわれたか否かを判断する。移設判断部６５は、稼動履歴に基づいて、空気調和装置１が冷房運転されたと判断された第３時点の前年以前における同じ時点において、空気調和装置１が冷房運転されていなかった場合、第３時点において冷媒回収運転が行われたと判断する。
【０１２４】
また、移設判断部６５は、稼動履歴に基づいて、空気調和装置１が冷房運転されたと判断された第３時点における空気調和装置１の連続稼働時間が所定の時間範囲内である場合、第３時点において冷媒回収運転が行われたと判断する。
【０１２５】
以下、本実施の形態２における移設判断装置６の動作について図９を用いて説明する。
【０１２６】
図９は、本開示の実施の形態２における移設判断装置による移設判断処理の一例を示すフローチャートである。移設判断装置６は、空気調和装置１が移設されたか否かを検出するために、定期的又は継続的に移設判断処理を行う。なお、以下の図９では、既に説明した処理と同様の処理には同一の符号を付しており、重複する説明を省略する場合がある。
【０１２７】
まず、移設判断部６５は、空気調和装置１がネットワーク接続しているか否かを定期的及び継続的に確認し、空気調和装置１がネットワークに接続していない状態からネットワークに接続している状態に復帰したか否かを判断する（ステップＳ２０１）。移設判断部６５は、空気調和装置１のネットワーク接続状況を記憶部６４に記憶する。ここで、空気調和装置１がネットワークに接続していない状態からネットワークに接続している状態に復帰していないと判断された場合（ステップＳ２０１でＮＯ）、移設判断処理を終了する。
【０１２８】
一方、空気調和装置１がネットワークに接続していない状態からネットワークに接続している状態に復帰したと判断された場合（ステップＳ２０１でＹＥＳ）、移設判断部６５は、ネットワークに接続していなかった期間の稼働履歴を記憶部６４から取得する（ステップＳ２０４）。情報収集部６２は、定期的又は継続的に空気調和装置１の稼働履歴を収集して記憶部６４に記憶している。そのため、ネットワークに接続されていなかった空気調和装置１が、ネットワークに接続された場合に、情報収集部６２は、ネットワークに接続されていなかった期間の空気調和装置１の稼働履歴を受信する。
【０１２９】
次に、移設判断部６５は、ネットワークに接続されていなかった期間の稼動履歴に冷房運転があるか否かを判断する（ステップＳ２０５）。ここで、ネットワークに接続されていなかった期間の稼働履歴に冷房運転がないと判断された場合（ステップＳ２０５でＮＯ）、移設判断処理を終了する。
【０１３０】
一方、ネットワークに接続されていなかった期間の稼働履歴に冷房運転があると判断された場合（ステップＳ２０５でＹＥＳ）、移設判断部６５は、ネットワークに接続されていなかった期間の冷房運転が冷媒回収運転であるか否かを判断する冷媒回収運転判断処理を行う（ステップＳ２０６）。なお、ステップＳ２０６の冷媒回収運転判断処理については、後述する。
【０１３１】
次に、移設判断部６５は、ネットワークに接続されていなかった期間の冷房運転が冷媒回収運転であるか否かを判断する（ステップＳ２０７）。ここで、ネットワークに接続されていなかった期間の冷房運転が冷媒回収運転ではないと判断された場合（ステップＳ２０７でＮＯ）、移設判断処理を終了する。
【０１３２】
一方、ネットワークに接続されていなかった期間の冷房運転が冷媒回収運転であると判断された場合（ステップＳ２０７でＹＥＳ）、試運転通知部６６は、空気調和装置１の試運転を促す試運転情報を端末５に通知する試運転通知処理を行い（ステップＳ１０７）、移設判断処理を終了する。
【０１３３】
なお、図９のステップＳ１０７の試運転通知処理は、実施の形態１で説明した試運転通知処理と同じであるので、説明は省略する。
【０１３４】
次に、図１０及び図１１を用いて、図９のステップＳ２０６における冷媒回収運転判断処理の詳細を説明する。
【０１３５】
図１０は、本開示の実施の形態２において、記憶部に記憶された稼働履歴の一例を示す図である。稼働履歴は、稼動履歴を収集した収集日時、空気調和装置１が稼動された稼動日時、空気調和装置１の運転状態、空気調和装置１の運転時間、及び空気調和装置１の設定温度を含む。行Ｒ２０３は、移設判断部６５が、空気調和装置１がネットワークに接続されていないことを検知して記憶した稼動履歴である。行Ｒ２０４、行Ｒ２０５及び行Ｒ２０６に記憶された稼働履歴は、空気調和装置１がネットワーク接続に復帰した時に、情報収集部６２が収集した稼働履歴である。行Ｒ２０４、行Ｒ２０５及び行Ｒ２０６の稼働履歴は、ネットワークに接続していなかった期間の稼働履歴であり、空気調和装置１が室内機１１のメモリ１１７に保持していた複数回分の稼働履歴である。行Ｒ２０１及び行Ｒ２０２は、行Ｒ２０５と過去の同じ時期に収集した稼働履歴である。行Ｒ２０１は、行Ｒ２０５の２年前の同じ時刻に取得した稼動履歴であり、行Ｒ２０２は、行Ｒ２０５の１年前の同じ時刻に取得した稼動履歴である。
【０１３６】
なお、図１０の例では、情報収集部６２は、１０分毎に空気調和装置１から稼働履歴を収集しているが、収集時間間隔は異なってもよい。なお、行Ｒ２０４、行Ｒ２０５及び行Ｒ２０６の稼働履歴は、室内機１１の運転制御部１１３によって、制御のタイミングに合わせてメモリ１１７に保持され、そのタイミングは定期的でなく、異なってもよい。
【０１３７】
図１１は、図９のステップＳ２０６における移設判断装置の冷媒回収運転判断処理の一例を示すフローチャートである。移設判断装置６は、空気調和装置１の稼働履歴に基づいて、ネットワークに接続されていなかった期間の冷房運転が、空気調和装置１を移設するためにエンジニアが行う冷媒回収運転であるか否かを判断する。
【０１３８】
まず、移設判断部６５は、記憶部６４に記憶されている稼動履歴に基づいて、空気調和装置１がネットワークの切断中に冷房運転されたと判断された時点の前年以前における同じ時点において、空気調和装置１が冷房運転されたか否かを判断する（ステップＳ２０６１）。ここで、空気調和装置１がネットワークの切断中に冷房運転されたと判断された時点の前年以前における同じ時点において、空気調和装置１が冷房運転されていないと判断された場合（ステップＳ２０６１でＮＯ）、移設判断部６５は、ネットワークの切断中に行われた冷房運転が冷媒回収運転であるという判断結果を記憶部６４に記憶し（ステップＳ２０６３）、冷媒回収運転判断処理を終了する。
【０１３９】
一方、空気調和装置１がネットワークの切断中に冷房運転されたと判断された時点の前年以前における同じ時点において、空気調和装置１が冷房運転されたと判断された場合（ステップＳ２０６１でＹＥＳ）、移設判断部６５は、ネットワークの切断中に行われた冷房運転の運転時間が２分以上３０分以内であったか否かを判断する（ステップＳ２０６２）。ここで、ネットワークの切断中に行われた冷房運転の運転時間が２分以上３０分以内ではないと判断された場合（ステップＳ２０６２でＮＯ）、冷媒回収運転判断処理を終了する。
【０１４０】
一方、ネットワークの切断中に行われた冷房運転の運転時間が２分以上３０分以内であると判断された場合（ステップＳ２０６２でＹＥＳ）、移設判断部６５は、ネットワークの切断中に行われた冷房運転が冷媒回収運転であるという判断結果を記憶部６４に記憶し（ステップＳ２０６３）、冷媒回収運転判断を終了する。
【０１４１】
なお、本実施の形態２における移設判断部６５は、図１０に例示した稼働履歴を用いて、空気調和装置１がネットワークの切断中に冷房運転されたと判断された日時の前年における同じ日時において、空気調和装置１が冷房運転されたか否かを判断しているが、空気調和装置１がネットワークの切断中に冷房運転されたと判断された月の前年における同じ月、空気調和装置１がネットワークの切断中に冷房運転されたと判断された週の前年における同じ週、又は空気調和装置１がネットワークの切断中に冷房運転されたと判断された日の前年における同じ日など、空気調和装置１がネットワークの切断中に冷房運転されたと判断された時期又は季節と同じ時期又は同じ季節として扱える期間の稼働履歴を用いてもよい。
【０１４２】
また、ステップＳ２０６２の処理において、移設判断部６５は、ネットワークの切断中に行われた冷房運転の運転時間が２分以上３０分以内であるか否かを判断しているが、短時間であっても冷媒回収は可能であるので、判断する運転時間は２分より短くてもよい。また、運転時間を判断するための時間間隔は、２分以上３０分以内の時間間隔に限定されず、他の時間間隔であってもよい。
【０１４３】
図１０に例示した稼働履歴を用いて冷媒回収運転判断処理が行われた場合、空気調和装置１がネットワークの切断中に冷房運転されたと判断された時点は、２０１５年３月４日１１時２０分であり、前年における同じ時点である２０１４年３月４日１１時２０分において、空気調和装置１は、暖房運転されており、冷房運転されていない。この場合、移設判断部６５は、ネットワークの切断中に行われた冷房運転が冷媒回収運転であるという判断結果を記憶部６４に記憶し、冷媒回収運転判断処理を終了する。
【０１４４】
このように、冷媒回収運転が実施される前に、空気調和装置１のネットワーク接続が切断された場合であっても、空気調和装置１の移設を検出することができる。
【０１４５】
以上、本実施の形態２における移設判断装置６の動作について説明した。
【０１４６】
（実施の形態３）
次に、実施の形態３を詳細に説明する。上記の実施の形態１及び実施の形態２では、空気調和装置１が冷媒回収運転を行い、空気調和装置１の電源がＯＦＦにされるという移設作業が検出され、ユーザに試運転の実施を促す試運転情報が通知される。これに対し、本実施の形態３では、空気調和装置１に搭載されたセンサーのセンサー値が収集され、収集されたセンサー値に基づく空気調和装置１の周辺環境の変化から、空気調和装置１が移設されたことが検出され、ユーザに試運転の実施を促す試運転情報が通知される動作について説明する。
【０１４７】
なお、本実施の形態３における空気調和装置１の構成の概要、移設判断装置６の構成の概要、試運転通知処理、及び端末５の試運転通知画面の一例は、図１、図２、図３、図７及び図８で説明した実施の形態１と同じであり、説明は省略する。
【０１４８】
移設判断部６５は、稼動環境の変化に基づいて、空気調和装置１が移設されたか否かを判断する。稼働環境は、空気調和装置１が設置された空間における環境である。稼動環境は、空気調和装置１が設置された空間の温度を含む。また、稼動環境は、室内機１１が設置された室内の温度を示す第１温度と、室外機１２が設置された室外の温度を示す第２温度との少なくとも一方を含む。
【０１４９】
移設判断部６５は、稼動環境に基づいて、空気調和装置１がネットワークに接続していないことが検知された第１時点の後であって空気調和装置１がネットワークに接続したことが検知された第２時点からの所定の経過期間内である第３期間において、空気調和装置１が設置される空間の温度の変化傾向を示す第１温度変化情報を算出する。移設判断部６５は、第３期間の前年以前における同じ期間において、空気調和装置１が設置される空間の温度の変化傾向を示す第２温度変化情報を算出する。移設判断部６５は、第１温度変化情報と第２温度変化情報との相関に基づいて空気調和装置１が移設されたか否かを判断する。
【０１５０】
以下、本実施の形態３における移設判断装置６の動作について図１２を用いて説明する。
【０１５１】
図１２は、本開示の実施の形態３における移設判断装置による移設判断処理の一例を示すフローチャートである。移設判断装置６は、空気調和装置１が移設されたか否かを検出するために、定期的及び継続的に移設判断処理を行う。なお、以下の図１２では、既に説明した処理と同様の処理には同一の符号を付しており、重複する説明を省略する場合がある。
【０１５２】
まず、移設判断部６５は、空気調和装置１がネットワークに接続しているか否かを定期的又は継続的に確認し、ネットワーク接続なしの記録が１日以内にあるか否かを判断する（ステップＳ３０１）。情報収集部６２は、空気調和装置１がネットワークに接続しているか否かを示すネットワーク接続状況を記憶部６４に記憶する。ここで、空気調和装置１がネットワーク接続していない記録が１日以内にないと判断された場合（ステップＳ３０１でＮＯ）、移設判断処理を終了する。
【０１５３】
一方、空気調和装置１がネットワーク接続していない記録が１日以内にあると判断された場合（ステップＳ３０１でＹＥＳ）、移設判断部６５は、ネットワーク接続が復帰してから情報収集部６２が定期的及び継続的に収集した空気調和装置１のセンサー値が記憶部６４に１日分存在するか否かを判断する（ステップＳ３０２）。なお、本実施の形態３において、センサー値は、室内機１１の温度センサー１１４によって計測された室内気温及び室外機１２の温度センサー１２３によって計測された室外気温である。ここで、ネットワーク接続が復帰してから収集されたセンサー値が１日分存在しないと判断された場合（ステップＳ３０２でＮＯ）、移設判断処理を終了する。
【０１５４】
一方、ネットワーク接続が復帰してから収集されたセンサー値が１日分存在すると判断された場合（ステップＳ３０２でＹＥＳ）、移設判断部６５は、ネットワーク接続が復帰してから収集されたセンサー値と、過去に収集されたセンサー値とに相関があるか否かを判断する相関有無判断処理を行う（ステップＳ３０３）。なお、ステップＳ３０３の相関有無判断処理については、後述する。
【０１５５】
次に、移設判断部６５は、ネットワーク接続が復帰してから収集されたセンサー値と、過去に収集されたセンサー値とに相関があるか否かを判断する（ステップＳ３０４）。ここで、ネットワーク接続が復帰してから収集されたセンサー値と、過去に収集されたセンサー値とに相関があると判断された場合（ステップＳ３０４でＹＥＳ）、移設判断処理を終了する。
【０１５６】
一方、ネットワーク接続が復帰してから収集されたセンサー値と、過去に収集されたセンサー値とに相関がないと判断された場合（ステップＳ３０４でＮＯ）、試運転通知部６６は、空気調和装置１の試運転を促す試運転情報を端末５に通知する試運転通知処理を行い（ステップＳ１０７）、移設判断処理を終了する。ネットワーク接続が復帰してから収集されたセンサー値と、過去に収集されたセンサー値とに相関がない場合、移設判断部６５は、空気調和装置１が移設されたと判断する。
【０１５７】
なお、図１２のステップＳ１０７の試運転通知処理は、実施の形態１で説明した試運転通知処理と同じであるので、説明は省略する。
【０１５８】
次に、図１３、図１４、図１５及び図１６を用いて、図１２のステップＳ３０３における相関有無判断処理の詳細を説明する。
【０１５９】
図１３は、本開示の実施の形態３において、記憶部に記憶されている、ネットワーク接続が復帰した後に収集された１日分のセンサー値の一例を示す図である。
【０１６０】
図１３の収集日時は、移設判断装置６が空気調和装置１からセンサー値を受信した日時を示す。図１３の室内気温は、室内機１１の温度センサー１１４が計測した値である。図１３の室外気温は、室外機１２の温度センサー１２３が計測した値である。図１３では、２０１５年３月４日の０時から２３時までに１時間毎に収集された室内気温及び室外気温を示している。
【０１６１】
図１４は、本開示の実施の形態３において、記憶部に記憶されている、ネットワーク接続が復帰してからセンサー値を収集した所定の期間の前年以前における同じ期間において、収集されたセンサー値の一例を示す図である。
【０１６２】
図１４では、図１３に示す２０１５年３月４日の０時から２３時までの収集期間の１年前の同じ期間である２０１４年３月４日の０時から２３時までの室内気温及び室外気温を示すとともに、図１３に示す収集期間の２年前の同じ期間である２０１３年３月４日の０時から２３時までの室内気温及び室外気温を示している。
【０１６３】
図１５は、図１２のステップＳ３０３における移設判断装置の相関有無判断処理の一例を示すフローチャートである。移設判断装置６は、空気調和装置１がネットワーク接続していない状態からネットワーク接続している状態に復帰した後の所定の期間に収集されたセンサー値と、過去の所定の期間と同じ期間に収集されたセンサー値とに相関関係があるか否かを判断する。
【０１６４】
まず、移設判断部６５は、ネットワーク接続していない状態から復帰した後にセンサー値を収集した所定の期間（例えば、１日）の１年前の同じ期間におけるセンサー値を記憶部６４から取り出す（ステップＳ３０３１）。移設判断部６５は、空気調和装置１がネットワークに接続していないことが検知された第１時点の後であって空気調和装置１がネットワークに接続したことが検知された第２時点からの所定の経過期間内である第３期間の１年前の同じ期間におけるセンサー値を記憶部６４から取り出す。
【０１６５】
次に、移設判断部６５は、ネットワーク接続が復帰してから所定の期間（例えば、１日）に収集されたセンサー値と、１年前の同じ期間のセンサー値との相関を示す第１の相関係数ｒ１を算出する（ステップＳ３０３２）。移設判断部６５は、算出した第１の相関係数ｒ１を記憶部６４に記憶する。移設判断部６５は、以下の数式（１）を用いて第１の相関係数ｒ１を算出する。
【０１６６】
【数１】
2017190942.tif 000003
【０１６７】
数式（１）において、ｘｉは、ネットワーク接続が復帰してから所定の期間に収集されたセンサー値の１番目からｎ番目の値を示し、ｘ￣（ｘの上にバー）は、ネットワーク接続が復帰してから所定の期間に収集されたセンサー値の平均値を示す。図１３において、１番目のセンサー値とは、行Ｒ３０１（２０１５年３月４日０時）のセンサー値（室内気温及び室外気温）であり、ｎ番目のセンサー値とは、行Ｒ３０２（２０１５年３月４日２３時）のセンサー値（室内気温及び室外気温）である。ｙｉは、１年前の同じ期間のセンサー値の１番目からｎ番目の値を示し、ｙ￣（ｙの上にバー）は、１年前の同じ期間のセンサー値の平均値を示す。図１４において、１番目のセンサー値とは、行Ｒ４０３（２０１４年３月４日０時）のセンサー値（室内気温及び室外気温）であり、ｎ番目のセンサー値とは、行Ｒ４０４（２０１４年３月４日２３時）のセンサー値（室内気温及び室外気温）である。
【０１６８】
移設判断部６５は、図１３及び図１４に示したセンサー値を用いて、ネットワーク接続が復帰してから所定の期間に収集された室内気温と、１年前の同じ期間の室内気温との相関を示す室内気温の第１の相関係数ｒ１を算出するとともに、ネットワーク接続が復帰してから所定の期間に収集された室外気温と、１年前の同じ期間の室外気温との相関を示す室外気温の第１の相関係数ｒ１を算出する。
【０１６９】
図１６は、本開示の実施の形態３において算出される、室内気温及び室外気温の第１の相関係数と、室内気温及び室外気温の第２の相関係数との一例を示す図である。図１６に示す行Ｒ５０１は、図１３及び図１４に示したセンサー値を用いて算出される室内気温及び室外気温の第１の相関係数ｒ１を表している。室内気温の第１の相関係数ｒ１は、例えば、０．５７４０３７７３１であり、室外気温の第１の相関係数ｒ１は、例えば、０．８９６９０９６６１である。
【０１７０】
図１５に戻って、次に、移設判断部６５は、ネットワーク接続していない状態から復帰した後にセンサー値を収集した所定の期間（例えば、１日）の２年前の同じ期間におけるセンサー値を記憶部６４から取り出す（ステップＳ３０３３）。移設判断部６５は、空気調和装置１がネットワークに接続していないことが検知された第１時点の後であって空気調和装置１がネットワークに接続したことが検知された第２時点からの所定の経過期間内である第３期間の２年前の同じ期間におけるセンサー値を記憶部６４から取り出す。
【０１７１】
次に、移設判断部６５は、ネットワーク接続が復帰してからセンサー値を収集した所定の期間（例えば、１日）の１年前の同じ期間のセンサー値と、２年前の同じ期間のセンサー値との相関を示す第２の相関係数ｒ２を算出する（ステップＳ３０３４）。移設判断部６５は、算出した第２の相関係数ｒ２を記憶部６４に記憶する。移設判断部６５は、以下の数式（２）を用いて第２の相関係数ｒ２を算出する。
【０１７２】
【数２】
2017190942.tif 000004
【０１７３】
数式（２）において、ｘｊは、ネットワーク接続が復帰してから所定の期間の１年前の同じ期間のセンサー値の１番目からｎ番目の値を示し、ｘ￣（ｘの上にバー）は、１年前の同じ期間のセンサー値の平均値を示す。図１４において、１番目のセンサー値とは、行Ｒ４０３（２０１４年３月４日０時）のセンサー値（室内気温及び室外気温）であり、ｎ番目のセンサー値とは、行Ｒ４０４（２０１４年３月４日２３時）のセンサー値（室内気温及び室外気温）である。ｙｊは、２年前の同じ期間のセンサー値の１番目からｎ番目の値を示し、ｙ￣（ｙの上にバー）は、２年前の同じ期間のセンサー値の平均値を示す。図１４において、１番目のセンサー値とは、行Ｒ４０１（２０１３年３月４日０時）のセンサー値（室内気温及び室外気温）であり、ｎ番目のセンサー値とは、行Ｒ４０２（２０１３年３月４日２３時）のセンサー値（室内気温及び室外気温）である。
【０１７４】
移設判断部６５は、図１４に示したセンサー値を用いて、ネットワーク接続が復帰してから所定の期間の１年前の同じ期間の室内気温と、２年前の同じ期間の室内気温との相関を示す室内気温の第２の相関係数ｒ２を算出するとともに、１年前の同じ期間の室外気温と、２年前の同じ期間の室外気温との相関を示す室外気温の第２の相関係数ｒ２を算出する。
【０１７５】
図１６に示す行Ｒ５０２は、図１４に示したセンサー値を用いて算出される室内気温及び室外気温の第２の相関係数ｒ２を表している。室内気温の第２の相関係数ｒ２は、例えば、０．９９３７９１４４６であり、室外気温の第２の相関係数ｒ２は、例えば、０．９６３６３７７５３である。
【０１７６】
次に、移設判断部６５は、ステップＳ３０３２で算出した第１の相関係数ｒ１とステップＳ３０３４で算出した第２の相関係数ｒ２との差が−０．２より大きく０．２より小さいか否かを判断する（ステップＳ３０３５）。ここで、第１の相関係数ｒ１と第２の相関係数ｒ２との差が−０．２より大きく０．２より小さいと判断された場合（ステップＳ３０３５でＹＥＳ）、移設判断部６５は、相関ありと判断し、相関ありという判断結果を記憶部６４に記憶し（ステップＳ３０３６）、相関有無判断処理を終了する。
【０１７７】
一方、第１の相関係数ｒ１と第２の相関係数ｒ２との差が−０．２以下又は０．２以上であると判断された場合（ステップＳ３０３５でＮＯ）、移設判断部６５は、相関なしと判断し、相関なしという判断結果を記憶部６４に記憶し（ステップＳ３０３７）、相関有無判断処理を終了する。
【０１７８】
図１６に例示した第１の相関係数ｒ１及び第２の相関係数ｒ２の場合、行Ｒ５０１における室内気温の第１の相関係数ｒ１と行Ｒ５０２における室内気温の第２の相関係数ｒ２との差は０．２以上であるので、ステップＳ３０３の相関有無判断処理では、相関なしと判断される。
【０１７９】
なお、ネットワーク接続が復帰してから所定の期間の室外気温と、１年前の同じ期間の室外気温と、２年前の同じ期間の室外気温とは、ほぼ同じであるので、室外気温の第１の相関係数ｒ１と室外気温の第２の相関係数ｒ２との差は、−０．２より大きく０．２より小さくなる。そのため、移設判断部６５は、室外気温についての相関は算出せずに、室内気温の相関のみを算出してもよい。また、移設判断部６５は、室内気温の第１の相関係数ｒ１と室内気温の第２の相関係数ｒ２との差が−０．２より大きく０．２より小さいか否かのみを判断してもよい。
【０１８０】
また、空気調和装置１が温暖な設置場所から寒冷な設置場所に移設された場合、１年前と同じ時期であっても、室外気温が大きく変化するおそれがある。そのため、移設判断部６５は、室内気温の第１の相関係数ｒ１と室内気温の第２の相関係数ｒ２との差が−０．２より大きく０．２より小さいか否かを判断するとともに、室外気温の第１の相関係数ｒ１と室外気温の第２の相関係数ｒ２との差が−０．２より大きく０．２より小さいか否かを判断してもよい。そして、移設判断部６５は、室内気温の第１の相関係数ｒ１と室外気温の第２の相関係数ｒ２との差と、室外気温の第１の相関係数ｒ１と室外気温の第２の相関係数ｒ２との差との少なくとも一方が、−０．２より大きく０．２より小さい場合、相関ありと判断してもよい。
【０１８１】
また、図１３及び図１４の例では、情報収集部６２が１時間毎にセンサー値を収集しているが、収集する時間間隔は異なってもよい。また、本実施の形態３における移設判断部６５は、図１３及び図１４に例示した過去の同じ日の１日分のセンサー値を用いて相関係数を比較しているが、過去の同じ月の１月分のセンサー値、過去の同じ週の１週間分のセンサー値、又は過去の同じ時刻のセンサー値など、ネットワーク接続が復帰してから所定の期間と同じ時期又は同じ季節として扱える期間のセンサー値を用いてもよい。
【０１８２】
なお、図１３及び図１４の例では、センサー値として室内気温及び室外気温を例示しているが、他の場所に設置した温度センサー又は照度センサーなどの他のセンサーから得られるセンサー値を用いもよい。
【０１８３】
このように、例えば、空気調和装置１が移設されたことで変化する室外機１２及び室内機１１の設置環境を検知することができ、設置環境の変化に基づいて空気調和装置１が移設されたか否かを判断することができる。また、ネットワークの切断前後における２つの期間における空気調和装置の設置環境の温度の変化傾向の相関に基づいて空気調和装置が移設されたか否かが判断されるので、１つの期間における空気調和装置が設置される空間の温度の変化傾向に基づいて空気調和装置が移設されたか否かを判断するよりも、空気調和装置が移設したか否かをより精度よく判断することができる。
【０１８４】
以上、本実施の形態３における移設判断装置６の動作について説明した。
【０１８５】
（実施の形態４）
次に、実施の形態４を詳細に説明する。上記の実施の形態１及び実施の形態２では、空気調和装置１が冷媒回収運転を行い、空気調和装置１の電源がＯＦＦにされるという移設作業が検出され、ユーザに試運転の実施を促す試運転情報が通知される。また、上記の実施の形態３では、空気調和装置１に搭載されたセンサーのセンサー値が収集され、収集されたセンサー値に基づく空気調和装置１の周辺環境の変化から、空気調和装置１が移設されたことが検出され、ユーザに試運転の実施を促す試運転情報が通知される。これらに対し、本実施の形態４では、空気調和装置１がネットワーク接続されていない状態からネットワーク接続されている状態に復帰したときに、ネットワーク接続が切断される以前のネットワーク接続環境と、ネットワーク接続が復帰した後のネットワーク接続環境とが変化しているか否かを判断することにより、空気調和装置１が移設されたことが検出され、ユーザに試運転の実施を促す試運転情報が通知される動作について説明する。
【０１８６】
なお、本実施の形態４における空気調和装置１の構成の概要、移設判断装置６の構成の概要、試運転通知処理、及び端末５の試運転通知画面の一例は、図１、図２、図３、図７及び図８で説明した実施の形態１と同じであり、説明は省略する。
【０１８７】
移設判断部６５は、稼動環境の変化に基づいて、空気調和装置１が移設されたか否かを判断する。本実施の形態４において、稼動環境は、空気調和装置１とネットワークとの接続に関する通信環境である。
【０１８８】
情報収集部６２は、空気調和装置１とネットワークとの接続パラメタを示す接続パラメタ情報を取得する。移設判断部６５は、空気調和装置１がネットワークに接続していないことが検知された第１時点以前に取得された接続パラメタ情報で示される第１接続パラメタと、第１時点の後であって空気調和装置１がネットワークに接続したことが検知された第２時点以降に取得された接続パラメタ情報で示される第２接続パラメタ情報との比較に基づいて空気調和装置１が移設されたか否かを判断する。
【０１８９】
以下、本実施の形態４における移設判断装置６の動作について図１７を用いて説明する。
【０１９０】
図１７は、本開示の実施の形態４における移設判断装置による移設判断処理の一例を示すフローチャートである。移設判断装置６は、空気調和装置１が移設されたか否かを検出するために、定期的及び継続的に移設判断処理を行う。なお、以下の図１７では、既に説明した処理と同様の処理には同一の符号を付しており、重複する説明を省略する場合がある。
【０１９１】
まず、移設判断部６５は、空気調和装置１がネットワーク接続しているか否かを定期的及び継続的に確認し、空気調和装置１がネットワークに接続していない状態からネットワークに接続している状態に復帰したか否かを判断する（ステップＳ４０１）。ここで、空気調和装置１がネットワークに接続していない状態からネットワークに接続している状態に復帰していないと判断された場合（ステップＳ４０１でＮＯ）、移設判断処理を終了する。
【０１９２】
一方、空気調和装置１がネットワークに接続していない状態からネットワークに接続している状態に復帰したと判断された場合（ステップＳ４０１でＹＥＳ）、移設判断部６５は、空気調和装置１が以前接続していたネットワーク接続環境が、別のネットワーク接続環境に変化したか否かを判断するためのネットワーク離脱判断処理を行う（ステップＳ４０２）。なお、ステップＳ４０２のネットワーク離脱判断処理については、後述する。
【０１９３】
次に、移設判断部６５は、ネットワーク接続環境が変化したか否かを判断する（ステップＳ４０３）。ここで、ネットワーク接続環境が変化していないと判断された場合（ステップＳ４０３でＮＯ）、移設判断処理を終了する。
【０１９４】
一方、ネットワーク接続環境が変化したと判断された場合（ステップＳ４０３でＹＥＳ）、試運転通知部６６は、空気調和装置１の試運転を促す試運転情報を端末５に通知する試運転通知処理を行い（ステップＳ１０７）、移設判断処理を終了する。
【０１９５】
なお、図１７のステップＳ１０７の試運転通知処理は実施の形態１で説明した試運転通知処理と同じであり、説明は省略する。
【０１９６】
次に、図１８及び図１９を用いて、図１７のステップＳ４０２におけるネットワーク離脱判断処理の詳細を説明する。
【０１９７】
図１８は、図１７のステップＳ４０２における移設判断装置のネットワーク離脱判断処理の一例を示すフローチャートである。
【０１９８】
まず、移設判断部６５は、空気調和装置１に接続されているアダプタ３の接続パラメタ情報を確認する（ステップＳ４０２１）。接続パラメタ情報は、空気調和装置１とネットワークとの接続パラメタを示し、例えば、ＩＰ（Ｉｎｔｅｒｎｅｔ  Ｐｒｏｔｏｃｏｌ）アドレス又はアダプタ３を識別するための識別情報である。接続パラメタ情報は、記憶部６４に記憶されている。
【０１９９】
次に、移設判断部６５は、空気調和装置１がネットワークに接続していないことが検知された第１時点以前に取得された接続パラメタ情報で示される第１接続パラメタと、第１時点の後であって空気調和装置１がネットワークに接続したことが検知された第２時点以降に取得された接続パラメタ情報で示される第２接続パラメタとが異なるか否かを判断する（ステップＳ４０２２）。ここで、第１接続パラメタと第２接続パラメタとが同じであると判断された場合（ステップＳ４０２２でＮＯ）、移設判断部６５は、ネットワーク接続環境が変化していないと判断し、ネットワーク接続環境が変化していないという判断結果を記憶部６４に記憶し（ステップＳ４０２４）、ネットワーク離脱判断処理を終了する。
【０２００】
一方、第１接続パラメタと第２接続パラメタとが異なると判断された場合（ステップＳ４０２２でＹＥＳ）、移設判断部６５は、ネットワーク接続環境が変化したと判断し、ネットワーク接続環境が変化したという判断結果を記憶部６４に記憶し（ステップＳ４０２３）、ネットワーク離脱判断処理を終了する。
【０２０１】
図１９は、本開示の実施の形態４において、記憶部に記憶されている空気調和装置のアダプタの接続パラメタ情報の一例を示す図である。図１９に示す空気調和装置識別番号とは空気調和装置１を識別するための情報であり、図１９に示す行Ｒ６０１の空気調和装置識別番号が、本実施の形態４の空気調和装置１を表している。接続パラメタ情報が変化しない限り、図１９に示す更新日時の列の値は変化せず、接続パラメタ情報が変化した場合、該当する空気調和装置の更新日時の値が、変化を検出した日時に上書きされ、ＩＰアドレスの値も上書きされる。
【０２０２】
なお、図１８に示す例では、移設判断部６５は、アダプタ３の接続パラメタ情報を確認しているが、空気調和装置１にアダプタ３の機能が内蔵されている場合は、空気調和装置１の接続パラメタ情報を確認してもよい。また、図１９に示す例では、記憶部６４は、アダプタ３の最新の接続パラメタ情報を保持しているが、アダプタ３の接続パラメタ情報の変化（履歴）を複数の行に記憶してもよい。
【０２０３】
図１９の接続パラメタ情報について、２０１５年３月４日１１：００にステップＳ４０２のネットワーク離脱判断処理が行われた場合、空気調和装置１の接続パラメタ情報が更新されているので、移設判断部６５は、ステップＳ４０２２で第１接続パラメタと第２接続パラメタとが異なると判断し、ステップＳ４０２３でネットワーク接続環境が変化したと判断し、判断結果を記憶部６４に記憶してネットワーク離脱判断処理を終了する。
【０２０４】
このように、例えば、ユーザの転居に伴い、ネットワーク接続環境が変化した場合に、空気調和装置１とネットワークとの接続パラメタが変化したことを検出することにより、空気調和装置１が移設されたことを容易に検出することができる。
【０２０５】
以上、本実施の形態４における移設判断装置６の動作について説明した。
【０２０６】
なお、本開示の実施の形態について図面を参照して詳述してきたが、具体的な構成はこの実施形態に限られるものではなく、この開示の要旨を逸脱しない範囲の設計等も含まれる。
【産業上の利用可能性】
【０２０７】
本開示に係る空気調和装置の移設判断方法及び移設判断装置は、空気調和装置の移設をより正確に検出することができ、空気調和装置の移設を判断する移設判断方法及び移設判断装置としてとして有用である。
【符号の説明】
【０２０８】
１    空気調和装置
２    リモートコントローラ
３    アダプタ
４    グローバルネットワーク
５    端末
６    移設判断装置
１１    室内機
１２    室外機
１３    冷媒配管
１４    通信線
６１    タイマー
６２    情報収集部
６３    通信部
６４    記憶部
６５    移設判断部
６６    試運転通知部
１１１    操作指示受信部
１１２    通信部
１１３    運転制御部
１１４    温度センサー
１１５    ファンモーター
１１６    室内機側通信部
１１７    メモリ
１１８    室内機側冷媒回路
１２１    室外機側通信部
１２２    コンプレッサー
１２３    温度センサー
１２４    室外機側冷媒回路
【図１】
2017190942.tif 000005
【図２】
2017190942.tif 000006
【図３】
2017190942.tif 000007
【図４】
2017190942.tif 000008
【図５】
2017190942.tif 000009
【図６】
2017190942.tif 000010
【図７】
2017190942.tif 000011
【図８】
2017190942.tif 000012
【図９】
2017190942.tif 000013
【図１０】
2017190942.tif 000014
【図１１】
2017190942.tif 000015
【図１２】
2017190942.tif 000016
【図１３】
2017190942.tif 000017
【図１４】
2017190942.tif 000018
【図１５】
2017190942.tif 000019
【図１６】
2017190942.tif 000020
【図１７】
2017190942.tif 000021
【図１８】
2017190942.tif 000022
【図１９】
2017190942.tif 000023